(57)【要約】      （修正有）【課題】改善されたスリットダイ用ギャップ調整装置及びこれを具備したスリットダイ及びコーティング装置を開示する。【解決手段】ギャップ調整装置２３０は、互いに対向する１対の第１リップ２２２ａ及び第２リップ２２２ｂで構成されるスリットダイ２２０用であり、ギャップ調整ナット２３２、ストッパ２４４、ギャップ調整ナットと螺合される固定ボルト２３４、固定ボルトを固定するための固定部材２４８、及び第１リップまたは第２リップの下部片側に形成された収容空間２３１内に形成された段差の間に提供され、ギャップ調整ナットよりも大きい硬度を有するスペーサーを含み、収容空間内に水平方向に提供され、固定ボルトは第１リップまたは第２リップの下部から垂直方向に提供されるギャップ調整用窪み２５４内で固定部材によって第１リップまたは第２リップに固定されることを特徴とする。【選択図】図２ａ
2010269305.tif 000002
【特許請求の範囲】
【請求項１】
互いに対向する１対の第１リップ（ｌｉｐ）及び第２リップから構成されるスリットダイ用ギャップ調整装置において、
ギャップ調整ナット、
上記ギャップ調整ナットの上部に提供されるストッパー（ｓｔｏｐｐｅｒ）、
上記ギャップ調整ナットと螺合される固定ボルト、
上記固定ボルトを上記第１リップまたは上記第２リップの下部側面に固定するための固定部材、及び
上記ギャップ調整ナットと上記ギャップ調整ナットが収容される上記第１リップまたは上記第２リップの下部片側に形成された収容空間内に形成された段差（ｓｔｅｐ）の間に提供され、上記ギャップ調整ナットよりもさらに大きい硬度（ｈａｒｄｎｅｓｓ）を有するスペーサー
を含み、
上記ギャップ調整装置は上記収容空間内に水平方向に提供され、
上記固定ボルトは上記第１リップまたは上記第２リップの下部から垂直方向に提供されるギャップ調整用窪み内で上記固定部材によって上記第１リップまたは上記第２リップに固定される
スリットダイ用ギャップ調整装置。
【請求項２】
上記スリットダイ用ギャップ調整装置が上記ギャップ調整用窪みと上記固定部材の間に提供されるワッシャー（ｗａｓｈｅｒ）を追加で含むことを特徴とする第１項に記載のスリットダイ用ギャップ調整装置。
【請求項３】
上記スペーサーの材質が金属材質であることを特徴とする第１項または第２項に記載のスリットダイ用ギャップ調整装置。
【請求項４】
上記金属材質が  ＳＣＭ合金材質であり、
上記スペーサーの硬度は５８以上のロックウェル硬度のＣスケール（ＨＲｃ）値を有することを特徴とする第３項に記載のスリットダイ用ギャップ調整装置。
【請求項５】
スリットダイにおいて、
互いに対向する１対の第１リップ及び第２リップ、
上記第１リップまたは上記第２リップの内部に形成される塗液供給部、
上記塗液供給部と連結されるチャンバー、
上記第１リップの下部内側面と上記第２リップの下部内側面の間に形成されるギャップ（Ｌ）を具備するスリット形状の吐出口、
上記第１リップまたは上記第２リップの下部から垂直方向に提供されるギャップ調整用窪み、及び
上記第１リップまたは上記第２リップの下部側面から上記ギャップ調整用窪みを水平方向に横切って形成される収容空間内に提供される複数のギャップ調整装置
を含み、
上記複数のギャップ調整装置はそれぞれ
ギャップ調整ナット、
上記ギャップ調整ナットの上部に提供されるストッパー（ｓｔｏｐｐｅｒ）、
上記ギャップ調整ナットと螺合される固定ボルト、
上記固定ボルトを上記第１リップまたは上記第２リップの下部側面に固定するための固定部材、及び
上記ギャップ調整ナットと上記収容空間内に形成された段差（ｓｔｅｐ）の間に提供され、上記ギャップ調整ナットよりもさらに大きい硬度（ｈａｒｄｎｅｓｓ）を有するスペーサー
を含み、
上記固定ボルトは上記ギャップ調整用窪み内で上記固定部材によって上記第１リップまたは上記第２リップに固定される
スリットダイ。
【請求項６】
上記ギャップ調整装置が上記ギャップ調整用窪みと上記固定部材の間に提供されるワッシャー（ｗａｓｈｅｒ）を追加で含むことを特徴とする第５項に記載のスリットダイ。
【請求項７】
上記スペーサーの材質が金属材質であることを特徴とする第５項または第６項に記載のスリットダイ。
【請求項８】
上記金属材質が  ＳＣＭ合金材質であり、
上記スペーサーの硬度は５８以上のロックウェル硬度のＣスケール（ＨＲｃ）値を有することを特徴とする第７項に記載のスリットダイ。
【請求項９】
ＰＤＰまたはＬＣＤ製造用コーティング装置において、
サクションテーブル（ｓｕｃｔｉｏｎ  ｔａｂｌｅ）、
上記サクションテーブル上に位置される作業物、
上記サクションテーブル上で直線往復運動をするガントリー、及び
上記ガントリーに付着し、上記作業物上に塗液を塗布するためのスリットダイ
を含み、
上記スリットダイは
互いに対向する１対の第１リップ及び第２リップ、
上記第１リップまたは上記第２リップの内部に形成される塗液供給部、
上記塗液供給部と連結されるチャンバー、
上記第１リップの下部内側面と上記第２リップの下部内側面の間に形成されるギャップ（Ｌ）を具備するスリット形状の吐出口、
上記第１リップまたは上記第２リップの下部から垂直方向に提供されるギャップ調整用窪み、及び
上記第１リップまたは上記第２リップの下部側面から上記ギャップ調整用窪みを水平方向に横切って形成される収容空間内に提供される複数のギャップ調整装置
を含み、
上記複数のギャップ調整装置はそれぞれ
ギャップ調整ナット、
上記ギャップ調整ナットの上部に提供されるストッパー（ｓｔｏｐｐｅｒ）、
上記ギャップ調整ナットと螺合される固定ボルト、
上記固定ボルトを上記第１リップまたは上記第２リップの下部側面に固定するための固定部材、及び
上記ギャップ調整ナットと上記収容空間内に形成された段差（ｓｔｅｐ）の間に提供され、上記ギャップ調整ナットよりもさらに大きい硬度（ｈａｒｄｎｅｓｓ）を有するスペーサー
を含み、
上記固定ボルトは上記ギャップ調整用窪み内で上記固定部材によって上記第１リップまたは上記第２リップに固定される
コーティング装置。
【請求項１０】
上記ギャップ調整装置が上記ギャップ調整用窪みと上記固定部材の間に提供されるワッシャー（ｗａｓｈｅｒ）を追加で含むことを特徴とする第９項に記載のコーティング装置。
【請求項１１】
上記スペーサーの材質が金属材質であることを特徴とする第９項または第１０項に記載のコーティング装置。
【請求項１２】
上記金属材質がＳＣＭ合金材質であり、
上記スペーサーの硬度は５８以上のロックウェル硬度のＣスケール（ＨＲｃ）値を有することを特徴とする第１１項に記載のコーティング装置。
【発明の詳細な説明】
【技術分野】
【０００１】
本発明は改善されたスリットダイ用ギャップ調整装置及びこれを具備したスリットダイ及びコーティング装置に関する。より具体的には、本発明はスリットダイのリップ間のギャップを垂直方向に調整する従来のギャップ調整方式を水平方向に調整することで、ギャップ調節量を精密に制御することができ、ギャップ調整が容易になり、ギャップ調節装置の部品数を顕著に減らすことでコストが節減され、維持補修が容易な改善されたスリットダイ用ギャップ調整装置及びこれを具備したスリットダイ及びコーティング装置に関する。
【背景技術】
【０００２】
一般的に、ＰＤＰまたはＬＣＤを製造するためには、ガラス基板のような基材または作業物（ｗｏｒｋ  ｐｉｅｃｅ：  以下  ”作業物”という）上に塗液を塗布するためにはスリットダイ（ｓｌｉｔ  ｄｉｅ）を具備したコーティング装置が使用される。
より具体的には、図１ａに概略的に図示されたＰＤＰまたはＬＣＤを製造するために使用されるテーブルコーティング装置（ｔａｂｌｅ  ｃｏａｔｅｒ）（１００）（以下  ”コーティング装置”という）ではコーティングする作業物であるガラス基板（１１０）をステージまたはサクションテーブル（ｓｕｃｔｉｏｎ  ｔａｂｌｅ：  １１２）上に位置させた後、ガントリー（ｇａｎｔｒｙ）（１２５）に付着したスリットダイ（１２０）を水平方向に移動させながらガラス基板（１１０）上に必要な塗液を塗布させる方法が使用されている。  
【０００３】
上述の従来技術によるコーティング装置を使用して塗液をガラス基板（１１０）上に塗布して塗膜を形成する方法において、塗膜厚の精密度はスリットダイ（１３０）内の塗液を供給して吐出する吐出量を精密に調整するためのギャップ調整装置によって左右される。
図１ｂは上述の図１ａに図示された従来技術によるコーティング装置に使用される塗液を吐出するスリットダイの一実施例が図示されている。
図１ｂを参照すると、従来技術によるスリットダイ（１２０）は互いに対向する１対の第１リップ（ｌｉｐ）（１２２ａ）及び第２リップ（１２２ｂ）から構成される。第１リップ（１２２ａ）の内部には塗液供給部（図示しない）、及びチャンバー（１２６）が形成されている。第１リップ（１２２ａ）のチャンバー（１２６）下端部の第１リップ（１２２ａ）内側面と、これに対応する第２リップ（１２２ｂ）の内側面の間にはギャップ（Ｌ）が形成されており、ギャップ（Ｌ）の下部外側に開口したスリット形状の吐出口（１２８）が形成されている。塗液は吐出口（１２８）を介して吐出されて作業物（１１０）（図１ａ参照）の表面に塗膜を形成する。塗膜の形成において、スリットダイ（１２０）と作業物（１１０）は相対的に移動するようになる（図１ａ参照）。一例として、カラーフィルターはガラス基板のような作業物（１１０）上に黒、赤、青、緑の塗液を順次に塗布することで製造される。このようなカラーフィルターの製造工程は、フォトレジストの塗膜を形成した後、フォトリソグラフィ加工によってパターン加工をした後、カラーフィルターと作業物（１１０）の間に注入される液晶のスペースを形成する柱を形成する工程、または表面の凹凸を極めて小さくするためのオーバーコーティング塗膜を形成する工程を含む。
上述の従来技術によるスリットダイ（１２０）は第２リップ（１２２ｂ）の長手方向に沿って多数のギャップ調整装置（１３０）を具備している。以下では、一つのギャップ調整装置（１３０）について記述する。
また図１ｂを参照すると、従来技術によるギャップ調整装置（１３０）は第２リップ（１２２ｂ）の片側に垂直方向に提供される。第２リップ（１２２ｂ）にはギャップ調整装置（１３０）を収容するための収容空間（１３１）が形成されている。従来技術のギャップ調整装置（１３０）は調整ナット（１３２）、固定ボルト（１３４）、及び下部固定部材（１４８）を含む。固定ボルト（１３４）は第２リップ（１２２ｂ）の下部片側に水平方向に提供される窪み（１５４）内で下部固定部材（１４８）によってワッシャー（ｗａｓｈｅｒ）（１５０）を介して第２リップ（１２２ｂ）に固定される。下部固定部材（１４８）の下端には下部キャップ（１５２）が提供される。また、調整ナット（１３２）の上部にはストッパー（ｓｔｏｐｐｅｒ）（１４４）が提供され、ストッパー（１４４）の上部には上部キャップ（１４２）が提供される。同時に、窪み（１５４）が提供される第２リップ（１２２ｂ）の外部側面には窪み（１５４）内に埃などの異物が流入しないように保護する保護カバー（１５６）が提供される。
以下では、従来技術によるギャップ調整装置（１３０）の動作を詳細に記述する。
また図１ｂを参照すると、上部キャップドライバー溝または六角内径溝（１４２ａ）を利用して上部キャップ（１４２）を除去する。その後、ストッパードライバー溝または六角内径溝（１４４ａ）を介して調整ナット（１３２）のドライバー溝または六角内径溝（１３２ａ）にドライバーまたは六角のレンチ工具（ｗｒｅｎｃｈ  ｔｏｏｌ）を使用して調整ナット（１３２）を時計方向に回転させると、調整ナット（１３２）とネジ山で嵌合された固定ボルト（１３４）が上昇してギャップ（Ｌ）が開いて吐出口（１２８）が拡大する。これとは反対に、調整ナット（１３２）を反時計方向に回転させると、固定ボルト（１３４）とネジ山で嵌合された調整ナット（１３２）が上昇してストッパー（ｓｔｏｐｐｅｒ）（１４４）と接触する。その後、調整ナット（１３２）を継続して反時計方向に回転させると、ストッパー（ｓｔｏｐｐｅｒ）（１４４）と接触した調整ナット（１３２）が上昇することができないので、調整ナット（１３２）とネジ山で嵌合された固定ボルト（１３４）が下降してギャップ（Ｌ）が狭くなり吐出口（１２８）が縮小する。
上述の従来技術によるギャップ調整装置（１３０）及びこれを具備したスリットダイ（１２０）の場合、調整ナット（１３２）を緩めたり締めたりすることで吐出口（１２８）のギャップ調整が可能であるが、次のような問題点を有する。
１．ギャップ調整装置（１３０）が垂直方向の動作によってギャップを水平方向に調整するので、調整ナット（１３２）の回転量と正確に一致する値のギャップ調整を行うことができない。より具体的には、例えば、調整ナット（１３２）の回転量が５０ｕｍの場合、ギャップの調整量が５０ｕｍより小さな値または大きい値（例えば４８ｕｍまたは５２ｕｍ）に調整されて所望のギャップの調整量を精密に調整するのが困難である。
２．複数の調整ナット（１３２）が同一の回転量に対し、それぞれのギャップの調整量が互いに異なる値を有するようになり、複数の調整ナット（１３２）の調整動作を制御し難く、ギャップの調整に相当な時間が要求される。
３．上述の１及び２の問題点は、特に高精細（Ｆｕｌｌ  Ｈｉｇｈ  Ｄｅｆｉｎｉｔｉｏｎ：  ＦＨＤ）大画面のＰＤＰまたはＬＣＤのブラックマトリックスの製造時により狭い線幅及びマトリックスサイズを具現するのに相当大きな障害要因となる。
４．ギャップ調整装置（１３０）が垂直方向に提供されるので、ギャップ調整装置（１３０）を収容するために相当に長い垂直方向の収容空間（１３１）が要求される。従って、長い収容空間（１３１）を加工するための加工時間及び加工コストが増加し、それによる維持補修が困難である。
【発明の概要】
【発明が解決しようとする課題】
【０００４】
本発明は上述の従来技術の問題点を解決するためのものであり、スリットダイのリップ間のギャップを垂直方向に調整する従来のギャップ調整方式を水平方向に調整することで、ギャップ調節量を精密に制御することができ、ギャップ調整が容易になり、ギャップ調節装置の部品数を顕著に減らすことでコストが節減され、維持補修が容易な改善されたスリットダイ用ギャップ調整装置及びこれを具備したスリットダイ及びコーティング装置を提供する。
【課題を解決するための手段】
【０００５】
本発明の第１の特徴によれば、互いに対向する１対の第１リップ（ｌｉｐ）及び第２リップから構成されるスリットダイ用ギャップ調整装置において、ギャップ調整ナット、上記ギャップ調整ナットの上部に提供されるストッパー（ｓｔｏｐｐｅｒ）、上記ギャップ調整ナットと螺合される固定ボルト、上記固定ボルトを上記第１リップまたは上記第２リップの下部側面に固定するための固定部材、及び上記ギャップ調整ナットと上記ギャップ調整ナットが収容される上記第１リップまたは上記第２リップの下部片側に形成された収容空間内に形成された段差（ｓｔｅｐ）の間に提供され、上記ギャップ調整ナットよりもさらに大きい硬度（ｈａｒｄｎｅｓｓ）を有するスペーサーを含み、上記ギャップ調整装置は上記収容空間内に水平方向に提供され、上記固定ボルトは上記第１リップまたは上記第２リップの下部から垂直方向に提供されるギャップ調整用窪み内で上記固定部材によって上記第１リップまたは上記第２リップに固定されるスリットダイ用ギャップ調整装置を提供する。
本発明の第２の特徴によれば、スリットダイにおいて、互いに対向する１対の第１リップ及び第２リップ、上記第１リップまたは上記第２リップの内部に形成される塗液供給部、上記塗液供給部と連結されるチャンバー、上記第１リップの下部内側面と上記第２リップの下部内側面の間に形成されるギャップ（Ｌ）を具備するスリット形状の吐出口、上記第１リップまたは上記第２リップの下部から垂直方向に提供されるギャップ調整用窪み、及び上記第１リップまたは上記第２リップの下部側面から上記ギャップ調整用窪みを水平方向に横切って形成される収容空間内に提供される複数のギャップ調整装置を含み、上記複数のギャップ調整装置はそれぞれギャップ調整ナット、上記ギャップ調整ナットの上部に提供されるストッパー（ｓｔｏｐｐｅｒ）、上記ギャップ調整ナットと螺合される固定ボルト、上記固定ボルトを上記第１リップまたは上記第２リップの下部側面に固定するための固定部材、及び上記ギャップ調整ナットと上記収容空間内に形成された段差（ｓｔｅｐ）の間に提供され、上記ギャップ調整ナットよりもさらに大きい硬度（ｈａｒｄｎｅｓｓ）を有するスペーサーを含み、上記固定ボルトは上記ギャップ調整用窪み内で上記固定部材によって上記第１リップまたは上記第２リップに固定されるスリットダイを提供する。
本発明の第３の特徴によれば、ＰＤＰまたはＬＣＤ製造用コーティング装置において、サクションテーブル（ｓｕｃｔｉｏｎ  ｔａｂｌｅ）、上記サクションテーブル上に位置される作業物、上記サクションテーブル上で直線往復運動をするガントリー、及び上記ガントリーに付着し、上記作業物上に塗液を塗布するためのスリットダイを含み、上記スリットダイは互いに対向する１対の第１リップ及び第２リップ、上記第１リップまたは上記第２リップの内部に形成される塗液供給部、上記塗液供給部と連結されるチャンバー、上記第１リップの下部内側面と上記第２リップの下部内側面の間に形成されるギャップ（Ｌ）を具備するスリット形状の吐出口、上記第１リップまたは上記第２リップの下部から垂直方向に提供されるギャップ調整用窪み、及び上記第１リップまたは上記第２リップの下部側面から上記ギャップ調整用窪みを水平方向に横切って形成される収容空間内に提供される複数のギャップ調整装置を含み、上記複数のギャップ調整装置はそれぞれギャップ調整ナット、上記ギャップ調整ナットの上部に提供されるストッパー（ｓｔｏｐｐｅｒ）、上記ギャップ調整ナットと螺合される固定ボルト、上記固定ボルトを上記第１リップまたは上記第２リップの下部側面に固定するための固定部材、及び上記ギャップ調整ナットと上記収容空間内に形成された段差（ｓｔｅｐ）の間に提供され、上記ギャップ調整ナットよりもさらに大きい硬度（ｈａｒｄｎｅｓｓ）を有するスペーサーを含み、上記固定ボルトは上記ギャップ調整用窪み内で上記固定部材によって上記第１リップまたは上記第２リップに固定されるコーティング装置を提供する。
【発明の効果】
【０００６】
本発明の改善されたスリットダイ用ギャップ調整装置及びこれを具備したスリットダイ及びコーティング装置では、次のような長所が達成される。
１．ギャップ調整装置が水平方向の移動動作によってギャップを水平方向に調整するので、調整ナットの回転量と正確に一致する値のギャップ調整が行われるので、ギャップの調整量を精密に調整することが容易である。
２．複数の調整ナットが同一の回転量に対し、それぞれのギャップの調整量が実質的に同一の値を有するようになり、複数の調整ナットの調整動作を制御することが容易であり、ギャップの調整時間が相当減少する。
３．ギャップの精密調整が可能であるため、特に高精細（ＦＨＤ）大画面のＰＤＰまたはＬＣＤのブラックマトリックスの製造時により狭い線幅及びマトリックスサイズを具現することができる。
４．ギャップ調整装置が水平方向に提供されるので、ギャップ調整装置を収容するための収容空間の長さが短くなる。従って、短い収容空間を加工するための加工時間及び加工コストが減少し、それによる維持補修が容易である。
本発明のさらなる長所は、同一または類似する参照番号が同一の構成要素を表示する添付図面を参照し、以下の説明から明白に理解することができる。
【図面の簡単な説明】
【０００７】
【図１ａ】従来技術のＰＤＰまたはＬＣＤ製造用コーティング装置を概略的に図示した図面である。
【図１ｂ】上述の図１ａに図示された従来技術によるコーティング装置に使用される塗液を吐出するスリットダイの一実施例を図示した図面である。
【図２ａ】本発明によるスリットダイ用ギャップ調整装置及びこれを具備したスリットダイを図示した図面である。
【図２ｂ】本発明によるスリットダイ用ギャップ調整装置の概略的な一部分解図である。
【発明を実施するための形態】
【０００８】
以下では、本発明の実施例及び図面を参照して本発明を詳細に記述する。
図２ａは本発明によるスリットダイ用ギャップ調整装置及びこれを具備したスリットダイを図示した図面であり、図２ｂは本発明によるスリットダイ用ギャップ調整装置の概略的な一部分解図である。図２ａに図示された本発明によるスリットダイ（２２０）及びコーティング装置はそれぞれギャップ調整装置（２３０）を除き、図１ｂ及び図１ａに図示されたスリットダイ（１２０）及びコーティング装置（１００）と実質的に同一である。
図２ａを参照すると、本発明によるスリットダイ（２２０）は、互いに対向する１対の第１リップ（２２２ａ）及び第２リップ（２２２ｂ）、上記第１リップ（２２２ａ）または上記第２リップ（２２２ｂ）の内部に形成される塗液供給部（図示しない）、上記塗液供給部と連結されるチャンバー（２２６）、上記第１リップ（２２２ａ）の下部内側面と上記第２リップ（２２２ｂ）の下部内側面の間に形成されるギャップ（Ｌ）を具備するスリット形状の吐出口（２２８）、上記第１リップ（２２２ａ）または上記第２リップ（２２２ｂ）の下部から垂直方向に提供されるギャップ調整用窪み（２５４）、及び上記第１リップ（２２２ａ）または上記第２リップ（２２２ｂ）の下部側面から上記ギャップ調整用窪み（２５４）を水平方向に横切って形成される収容空間（２３１）内に提供される複数のギャップ調整装置（２３０）を含む。複数のギャップ調整装置（２３０）はそれぞれ同一の構成を有するので、以下では、本発明による一つのギャップ調整装置（２３０）の構成及び動作を詳細に記述する。
図２ａ及び図２ｂを参照すると、本発明による一つのギャップ調整装置（２３０）は第２リップ（２２２ｂ）の片側下部に水平方向に提供される。しかし、当業者であれば本発明によるギャップ調整装置（２３０）が第１リップ（２２２ａ）の片側下部に水平方向に提供可能であることを十分に理解することができる。第２リップ（２２２ｂ）にはギャップ調整装置（２３０）を収容するための収容空間（２３１）が形成されている。本発明のギャップ調整装置（２３０）はギャップ調整ナット（２３２）、上記ギャップ調整ナット（２３２）の上部に提供されるストッパー（ｓｔｏｐｐｅｒ）（２４４）、上記ギャップ調整ナット（２３２）と螺合される固定ボルト（２３４）、上記固定ボルト（２３４）を第２リップ（２２２ｂ）に固定するための固定部材（２４８）、及び上記ギャップ調整ナット（２３２）と上記ギャップ調整ナット（２３２）が収容される上記第２リップ（２２２ｂ）の収容空間（２３１）内に形成された段差（ｓｔｅｐ）（２６０）の間に提供されるスペーサー（２６２）を含む。固定ボルト（２３４）は第２リップ（２２２ｂ）のギャップ調整用窪み（２５４）内で固定部材（２４８）によってワッシャー（ｗａｓｈｅｒ）（２５０）を介して第２リップ（２２２ｂ）に固定される。ワッシャー（２５０）は選択仕様であり、必ず使用しなければならないものではない。また、ギャップ調整用窪み（２５４）の下部にはギャップ調整用窪み（２５４）内に埃などの異物が流入しないように保護する保護カバー（図示しない）が提供されることがある。
上述の本発明の実施例において、スペーサー（２６２）の材質は金属材質、具体的にはスチール、クロム及びマンガン（ＳＣＭ：  以下  ”ＳＣＭ”という）合金材質で具現されることが好ましい。また、スペーサー（２６２）の硬度（ｈａｒｄｎｅｓｓ）はギャップ調整ナット（２３２）の硬度よりもさらに大きい値を有するのが好ましい。より具体的には、スペーサー（２６２）の硬度はロックウェル硬度（Ｒｏｃｋｗｅｌｌ  Ｈａｒｄｎｅｓｓ）のＣスケール（ＨＲｃ）値（ダイヤモンドで作った円錐を試験面に一定の荷重で押した時に生じた跡の深さを示した値）で５８以上であることが好ましい。
以下では、本発明の実施例によるギャップ調整装置（２３０）の動作を詳細に記述する。
また図２ａ及び図２ｂを参照すると、ドライバーまたは六角のレンチ工具をストッパー（２４４）の上部溝（２４４ａ）を介してギャップ調整ナット（２３２）のドライバー溝または六角内径溝（２３２ａ）に装着する。その後、ギャップ調整ナット（２３２）を時計方向に回転させると、ギャップ調整ナット（２３２）とネジ山によって嵌合された固定ボルト（２３４）がギャップ調整ナット（２３２）の内部空間（２４６）内で上昇する（図２ｂに図示された矢印の右側方向に移動する）。その結果、ギャップ（Ｌ）が開いて結局吐出口（２２８）が拡大する。この場合、ギャップ調整ナット（２３２）の下部はスペーサー（２６２）の上部と接触し、スペーサー（２６２）の下部は第２リップ（２２２ｂ）の段差（２６０）と接触する。従って、ギャップ調整ナット（２３２）を回転させても、ギャップ調整ナット（２３２）の下端部が第２リップ（２２２ｂ）の段差（２６０）と直接接触しない。
より具体的には、  ギャップ調整ナット（２３２）を回転させると、ギャップ調整ナット（２３２）の下部はスペーサー（２６２）の上部と接触した状態で回転する。この時、ギャップ調整ナット（２３２）と接触するスペーサー（２６２）は回転しないか、若干回転する。従って、ギャップ調整ナット（２３２）を回転させても、スペーサー（２６２）の下部と接触する第２リップ（２２２ｂ）の段差（２６０）は回転力を受けないか、ほぼ受けることがない。従って、ギャップ調整ナット（２３２）と第２リップ（２２２ｂ）の段差（２６０）は摩擦による摩耗及びそれによる異物発生及び損傷発生などの問題が発生する可能性が顕著に減少する。また、スペーサー（２６２）がギャップ調整ナット（２３２）よりもさらに大きい値の硬度を有するので、ギャップ調整ナット（２３２）が摩耗してもギャップ調整ナット（２３２）だけを交替すれば良いため、維持補修を簡便かつ容易に行うことができる。
一方、ギャップ調整ナット（２３２）を反時計方向に回転させると、固定ボルト（２３４）とネジ山によって嵌合されたギャップ調整ナット（２３２）がストッパー（２４４）によって上昇不可能になるため、固定ボルト（２３４）がギャップ調整ナット（２３２）の内部空間（２４６）内で降下するようになる（図２ｂに図示された矢印の左側方向に移動する）。その結果、ギャップ（Ｌ）が狭くなり結局吐出口（２２８）が縮小する。
上述のように、本発明の実施例によるギャップ調整装置（２３０）では、ギャップ調整ナット（２３２）の回転量に直接比例して固定ボルト（２３４）が水平方向（図２ｂに図示された矢印方向）に沿って左右に移動し、固定ボルト（２３４）の移動距離だけ第２リップ（２２２ｂ）が水平方向に移動する。従って、ギャップ調整ナット（２３２）の回転量と正確に一致する値のギャップ調整が行われるので、ギャップ調整量の精密な制御が可能である。また、複数のギャップ調整ナット（２３２）が同一の回転量に対し、それぞれのギャップの調整量が実質的に同一の値を有するようになり、複数のギャップ調整ナット（２３２）の調整動作を制御することが容易であるため、ギャップの調整に必要な時間が相当減少する。
上述のように、本発明の実施例によれば、本発明のギャップ調整装置（２３０）及びこれを具備したスリットダイ（２２０）及びコーティング装置では、ギャップの精密な調整が可能であり、ギャップの調整時間が減少し、維持補修が容易である。
【産業上の利用可能性】
【０００９】
多様な変形例が本発明の範囲を超えることなく、本明細書に記述され例示された構成及び方法で作製することができるので、上記詳細な説明に含まれたり、添付図面に図示されたすべての事項は例示的なものとして本発明を制限するものではない。従って、本発明の範囲は上述の例示的な実施例によって制限されることがなく、以下の請求の範囲及びその均等物によってのみ定められる。
【符号の説明】
【００１０】
２２０    スリットダイ
２２２ａ    第１リップ
２２２ｂ    第２リップ
２２６    チャンバー
２２８    吐出口
２３０    ギャップ調整装置
２３１    収容空間
２３２    ギャップ調整ナット
２３４    固定ボルト
２４４    ストッパー
２４８    固定部材
２５４    ギャップ調整用窪み
【図１ａ】
2010269305.tif 000003
【図１ｂ】
2010269305.tif 000004
【図２ａ】
2010269305.tif 000005
【図２ｂ】
2010269305.tif 000006